(57)【要約】【課題】土起こし刃を交換可能であると共に、着脱式でありながら土起こし刃を基体に強固に取付可能な土起こし器を提供すること。【解決手段】基体１の下部に、土起こし刃４の地面ａへの差し込み方向と直交する方向に板面を有する差込力支持板部５を設け、この基体１の後方側に後方支持部６を突設し、この後方支持部６の突出先端部に、土起こし刃４の地面ａへの差込方向と平行な板面を有する起動力支持板部７を設け、土起こし刃４の基部に、前記差込力支持板部５に着脱自在に重合止めする第一取付板部８を設けると共に、土起こし刃４の基端側の後部に、前記起動力支持板部７に着脱自在に重合止めする第二取付板部９を設け、この基体１の下部若しくは基体１下部の後方側に突設した後方支持部６に足踏み部３を設ける。【選択図】図２
2014036600.tif 000002
【特許請求の範囲】
【請求項１】
上部にハンドル部を備えた基体の下部に足踏部を設け、この足踏部より下方へ突出状態にして基体の下部に土起こし刃を設けて、ハンドル部を持ちながら足踏部を足踏みして土起こし刃を地面に差し込み、前記ハンドル部を下方へ押動することにより土起こし刃を起動させて土起こしする土起こし器において、前記基体の下部に前記土起こし刃を着脱自在に設け、この基体の下部に、前記土起こし刃の地面への差し込み方向と直交する方向に板面を有する差込力支持板部を設け、この基体の後方側に、基体下部と並設状態にして後方支持部を突設すると共に、この後方支持部の突出先端部に、前記土起こし刃の地面への差込方向と平行な板面を有する起動力支持板部を設け、前記土起こし刃の基部に、この土起こし刃の地面への差し込み方向と直交する方向に板面を有する第一取付板部を設けると共に、土起こし刃の基端側の後部に、この土起こし刃の地面への差込方向と平行な板面を有する第二取付板部を設けて、前記差込力支持板部に前記第一取付板部を着脱自在に重合止めすると共に、前記起動力支持板部に前記第二取付板部を着脱自在に重合止めすることで、前記基体の下部に前記土起こし刃を突出状態にして着脱自在に設けた構成とし、この基体の下部若しくは基体下部の後方側に突設した前記後方支持部に前記足踏み部を設けたことを特徴とする土起こし器。
【請求項２】
前記後方支持部は、前記基体から後方側下方へ向けて突設した後、その突出先端部が前方に向けて突出する形状に構成し、この後方支持部の突出先端部に前記起動力支持板部を設けたことを特徴とする請求項１記載の土起こし器。
【請求項３】
前記土起こし刃は、焼入れ処理が施された金属製であることを特徴とする請求項１，２のいずれか１項に記載の土起こし器。
【発明の詳細な説明】
【技術分野】
【０００１】
本発明は、畑の土起こしや根菜類の掘り起しなどに用いる手動式の土起こし器に関するものである。
【背景技術】
【０００２】
出願人は、従来から図５に示すような手動式の土起こし器を実施している。
【０００３】
この土起こし器を簡単に説明すると、上部にハンドル部21を備えた基体20の後方側に、基体20下部と並設状態にして後方支持部24が突出状態に固定され、この後方支持部24の下部寄りに足踏部22が設けられ、前記基体20の下部に土起こし刃23の基部が固定されると共に前記後方支持部24の突出先端部に土起こし刃23の後部が固定されることで、基体20の下部に土起こし刃23が下向き突出状態に設けられた構成であり、前記ハンドル部21を持ちながら前記足踏部22を足踏みして土起こし刃23を地面に差し込み、足踏部22を支点に前記ハンドル部21を下方へ押動すると、テコの原理で土起こし刃23が起動して簡単に土起こしがなされるというものであった。
【発明の概要】
【発明が解決しようとする課題】
【０００４】
本発明は、上記従来の土起こし器の改良に係るもので、土起こし刃を基体に着脱自在に設けて、例えば経年使用により土起こし刃が傷んだ場合に土起こし刃を交換できるようにすると共に、着脱式でありながら土起こし刃を基体下部に強固に取付できるようにした実用性に優れた土起こし器を提供するものである。
【課題を解決するための手段】
【０００５】
添付図面を参照して本発明の要旨を説明する。
【０００６】
上部にハンドル部２を備えた基体１の下部に足踏部３を設け、この足踏部３より下方へ突出状態にして基体１の下部に土起こし刃４を設けて、ハンドル部２を持ちながら足踏部３を足踏みして土起こし刃４を地面ａに差し込み、前記ハンドル部２を下方へ押動することにより土起こし刃４を起動させて土起こしする土起こし器において、前記基体１の下部に前記土起こし刃４を着脱自在に設け、この基体１の下部に、前記土起こし刃４の地面ａへの差し込み方向と直交する方向に板面を有する差込力支持板部５を設け、この基体１の後方側に、基体１下部と並設状態にして後方支持部６を突設すると共に、この後方支持部６の突出先端部に、前記土起こし刃４の地面ａへの差込方向と平行な板面を有する起動力支持板部７を設け、前記土起こし刃４の基部に、この土起こし刃４の地面ａへの差し込み方向と直交する方向に板面を有する第一取付板部８を設けると共に、土起こし刃４の基端側の後部に、この土起こし刃４の地面ａへの差込方向と平行な板面を有する第二取付板部９を設けて、前記差込力支持板部５に前記第一取付板部８を着脱自在に重合止めすると共に、前記起動力支持板部７に前記第二取付板部９を着脱自在に重合止めすることで、前記基体１の下部に前記土起こし刃４を突出状態にして着脱自在に設けた構成とし、この基体１の下部若しくは基体１下部の後方側に突設した前記後方支持部６に前記足踏み部３を設けたことを特徴とする土起こし器に係るものである。
【０００７】
また、前記後方支持部６は、前記基体１から後方側下方へ向けて突設した後、その突出先端部が前方に向けて突出する形状に構成し、この後方支持部６の突出先端部に前記起動力支持板部７を設けたことを特徴とする請求項１記載の土起こし器に係るものである。
【０００８】
また、前記土起こし刃４は、焼入れ処理が施された金属製であることを特徴とする請求項１，２のいずれか１項に記載の土起こし器に係るものである。
【発明の効果】
【０００９】
本発明は上述のように構成したから、例えば土起こし刃が経年使用により傷んだり破損したりした場合に土起こし刃だけを交換可能な実用的な土起こし器となり、しかも、土起こし刃は、着脱式でありながらその基部の第一取付板部と基端側後部の第二取付板部の二箇所の重合止めによって基体下部に対して安定的且つ強固に取付でき、その上、基体下部に取付られた土起こし刃は、足踏部への足踏力が良好に伝達されてこの土起こし刃を容易に地面に差し込み可能であると共に、ハンドル部への押動力も良好に伝達されてこの土起こし刃で容易に土起こし可能であるなど、極めて実用性に優れた商品価値の高い土起こし器となる。
【００１０】
また、請求項２記載の発明においては、土起こし刃の基端側後部（の第二取付板部）を重合止め可能な起動力支持板部を有する後方支持部を簡易に設計実現可能となる一層実用性に優れた構成の土起こし器となる。
【００１１】
また、請求項３記載の発明においては、土起こし刃自体の耐久性が高く、高寿命で商品価値の高い実用性に優れた構成の土起こし器となる。
【図面の簡単な説明】
【００１２】
【図１】本実施例を示す斜視図である。
【図２】本実施例の土起こし刃を分解した状態の斜視図である。
【図３】本実施例の土起こし刃の取付構造を示す部分拡大側断面図である。
【図４】本実施例の使用状態を示す説明側面図である。
【図５】従来例を示す斜視図である。
【発明を実施するための形態】
【００１３】
好適と考える本発明の実施形態を、図面に基づいて本発明の作用を示して簡単に説明する。
【００１４】
本発明の土起こし器は、例えば土起こし刃４が経年使用により傷んだり破損したりして所期の性能を十分に発揮できなくなった場合に、基体１の下部から取り外して新しい土起こし刃４に交換可能である。
【００１５】
具体的には、土起こし刃４の基部の第一取付板部８と、基体１下部の差込力支持板部５との重合止めを解除すると共に、土起こし刃４の基端側後部の第二取付板部９と、基体１下部に並設する後方支持部６の突出先端部の起動力支持板部７との重合止めを解除することでこの土起こし刃４を基体１から取り外し、基体１の差込力支持板部５に新しい土起こし刃４の第一取付板部８を着脱自在に重合止めすると共に、後方支持部６の起動力支持板部７に新しい土起こし刃４の第二取付板部９を着脱自在に重合止めすることで、前記基体１の下部に新しい土起こし刃４を突出状態にして着脱自在に設けることができる。
【００１６】
従って、土起こし刃４は、着脱式でありながらその基部と基端側後部との二箇所を、基体１下部とこれに並設する後方支持部６の突出先端部とに夫々重合止めするから、基体１下部に対して安定良く強固に取付られることになる。
【００１７】
土起こしを行う時は、使用者がハンドル部２を持ちながら足踏部３を足踏みして土起こし刃４を地面ａに差し込み、次いで、前記ハンドル部２を下方へ押動することにより土起こし刃４を起動させて土を起こすことができる。
【００１８】
また、足踏部３を足踏みした際、この足踏部３への足踏力が差込力支持板部５の板面から第一取付板部８の板面へと伝達されるので、差込力支持板部５と第一取付板部８とが線接触状態や点接触状態で止められる構成に比べて、足踏力の伝達面積が広い分伝達力の損失が少なく、従って土起こし刃４には差込力が良好に伝達されて地面ａに差し込み易い。
【００１９】
また、ハンドル部２を下方へ押動することにより土起こし刃４を起動させた際には、このハンドル部２への押動力が土起こし刃４を起動させようとする起動力となって起動力支持板部７の板面から第二取付板部９の板面へと伝達されるので、起動力支持板部７と第二取付板部９とが線接触状態や点接触状態で止められる構成に比べて、起動力（押動力）の伝達面積が広い分伝達力の損失が少なく、従って土起こし刃４には起動力が良好に伝達されて地面ａの土を起こし易い。
【実施例】
【００２０】
本発明の具体的な実施例について図面に基づいて説明する。
【００２１】
本実施例の土起こし器は、上部にハンドル部２を備えた基体１の下部に足踏部３を設け、この足踏部３より下方へ突出状態にして基体１の下部に土起こし刃４を設けると共に、この土起こし刃４を基体１の下部に対して着脱自在に設けている。
【００２２】
具体的には、本実施例の基体１は、図１，図２に示すように、金属製（例えばアルミ製）の長尺な丸棒（丸パイプ）を採用した左右一対の縦フレーム10の上端部間に、金属製（例えばアルミ製）の丸棒（丸パイプ）を採用した横フレーム11を溶接などにより架設状態に固定すると共に、左右一対の縦フレーム10の下端部間に、金属製（例えばアルミ製）の帯板５を溶接などにより架設状態に固定して成る縦長の方形枠体に構成している。
【００２３】
また、前記横フレーム11は、その両端部が左右の縦フレーム10よりも外側に突出する長さを有するものとし、本実施例では、この左右の縦フレーム10より外側に突出する横フレーム11の両端部に合成樹脂製のグリップ12を被覆固定して、このグリップ12が被覆固定された横フレーム11の両端部を、使用者が両手で持つことができる前記ハンドル部２としている。
【００２４】
また、この基体１の下部に、前記土起こし刃４の地面ａへの差し込み方向と直交する方向に板面を有する差込力支持板部５を設けている。
【００２５】
差込力支持板部５は、前記左右の縦フレーム10の下端部間に架設した帯板５で構成している。更に詳しくは、この差込力支持板部５を構成する帯板５は、左右の縦フレーム10の下端部間に、その一側板面（図面の上側板面）を各縦フレーム10の下端部に溶接などにより架設状態に固定している。
【００２６】
即ち、この差込力支持板部５は、その他側板面（図面の下側板面）が前記基体１を立直状態とした際に水平方向に板面を有し、この他側板面の板面方向は、前記土起こし刃４を地面ａに差し込む際の差込方向（略垂直）と直交する方向となるように構成している。
【００２７】
また、この基体１の後方側に、基体１下部と並設状態にして後方支持部６を下方に向けて突設すると共に、この後方支持部６の突出先端部に、前記土起こし刃４の地面ａへの差込方向と平行な板面を有する起動力支持板部７を設けている。
【００２８】
更に詳しくは、後方支持部６は、金属製（例えばアルミ製）の丸棒（丸パイプ）で構成して、この後方支持部６を、前記左右の縦フレーム10の夫々の後方側の中ほどよりやや下方位置に、溶接などにより突設状態に固定している。
【００２９】
また、この左右の後方支持部６は、左右の縦フレーム10の夫々の後方側から前記基体１の後方側下方へ向けて突設した後、その各突出先端部がいずれも前方に向けて突出する形状に構成し（図３に示すような側面視略Ｊ字形に構成し）、この各後方支持部６の突出先端部に間に、この各後方支持部６の突出先端部間に架設可能な長さを有する金属製（例えばアルミ製）の帯板を採用した前記起動力支持板部７を設けている。
【００３０】
また、この起動力支持板部７はその一側板面（図３の右側板面）を各後方支持部６の突出先端部に溶接などにより架設状態に固定し、更に、この起動力支持板部７は、その他側板面（図３の左側板面）が前記基体１を立直状態とした際に垂直方向に板面を有し、この他側板面の板面方向は、前記土起こし刃４を地面ａに差し込む際の差込方向（略垂直）と平行な方向となるように構成すると共に、この起動力支持板部７の他側板面が前記差込力支持板部５より基体１後方側に配置するように、前記各後方支持部６の突出長を設定構成している。
【００３１】
本実施例の土起こし刃４は、複数枚（図面は五枚）の金属製（例えば鉄製）の帯状刃板14を小間隔を置いて左右方向に並設して成る櫛刃形体に構成している。
【００３２】
更に詳しくは、前記差込力支持板部５と同形状の金属製（例えば鉄製）帯板を採用した第一取付板部８の一側板面（図３の下側板面）に、前記各帯状刃板14の基端部を溶接などにより固定して、この第一取付板部８の一側板面の板面方向と直交する方向に複数の帯状刃板14を突設（垂設）し、また、この各帯状刃板14の基端側後部間に、前記起動力支持板部７と同形状の金属製（例えば鉄製）帯板を採用した第二取付板部９の一側板面（図３の左側板面）を溶接などにより架設固定して、櫛刃形の前記土起こし刃４を構成している。
【００３３】
即ち、土起こし刃４は、その基部に、この土起こし刃４の地面ａへの差し込み方向と直交する方向に板面を有する第一取付板部８を設けると共に、基端側の後部に、この土起こし刃４の地面ａへの差込方向と平行な板面を有する第二取付板部９を設けている。
【００３４】
また、この土起こし刃４は、前記第一取付板部８，前記第二取付板部９も含めて焼入れ処理が施された金属製としている。
【００３５】
この土起こし刃４の基体１への着脱自在な取付構造は、取付用ボルト17を用いた取付構造としている。更に詳しくは、図２，図３に示すように、前記基体１下部の前記差込力支持板部５の両端部付近と、前記後方支持部６の突出先端部の前記起動力支持板部７の両端部付近とに片側二箇所ずつボルト通し孔15を貫通形成する一方、土起こし刃４の基部の前記第一取付板部８の両端部付近と、基端側後部の前記第二取付板部９の両端部付近とに、前記ボルト通し孔15と連通させる連通孔16を片側二箇所ずつ貫通形成している。そして、差込力支持板部５と第一取付板部８とを重合すると共に、起動力支持板部７と第二取付板部９とを重合して各ボルト通し孔15と各連通孔16とを連通させ、この連通させた夫々の連通孔部に六角ボルト17を採用した前記取付用ボルト17を挿通し、この各取付用ボルト17先端に六角ナット18を採用した取付用ナット18を螺着して、この各取付用ボルト17と各取付用ナット18を締付することにより差込力支持板部５と第一取付板部８を重合止めすると共に、起動力支持板部７と第二取付板部９を重合止めして、基体１の下部に土起こし刃４を突出状態にして取付する構造としている。
【００３６】
従って、このように土起こし刃４は、着脱式でありながらその基部と基端側後部の二箇所の重合止めにより基体１の下部に安定良く強固に取付られる構成としている。
【００３７】
また、土起こし刃４を交換したい場合は、単に各取付用ボルト17と各取付用ナット18とによる締付を解除して各ボルト通し孔15と各連通孔16とから取付用ボルト17を取り外すことで容易に土起こし刃４を取り外すことができる構成である。
【００３８】
本実施例の足踏部３は、金属製（例えばアルミ製）の丸棒（丸パイプ）を採用した横材13で構成し、この足踏部３としての横材13を前記左右の後方支持部６の下部寄りの途中部間に溶接などにより架設固定している。即ち、足踏部３は、基体１下部と並設する後方支持部６の下部（下部寄り）に設けた場合を示している。尚、請求項１中の「基体の下部に足踏部を設け」なる記載は、後方支持部６の下部も基体１の下部に含まれる意味合いで用いている。また、足踏部３は、本実施例に限らず、基体１下部に設けても良いし、前記差込力支持板部５が足踏部３として機能するような構成を採用しても良い。
【００３９】
次に、図４を用いて本実施例の使用方法を説明する。
【００４０】
使用者が両手でハンドル部２持ちながら足踏部３に足を掛け、足を踏み込んで土起こし刃４を地面ａに差し込む。
【００４１】
土起こし刃４が差し込まれたら、ハンドル部２を下方へ押動（伏動）させると、前記足踏部３が地面ａに接したところでこの足踏部３がハンドル部２の伏動支点となり、ハンドル部２を力点、土起こし刃４を作用点とするテコの原理により土起こし刃４が足踏部３を支点に起動して土起こしがなされる。
【００４２】
尚、本発明は、本実施例に限られるものではなく、各構成要件の具体的構成は適宜設計し得るものである。
【符号の説明】
【００４３】
１  基体
２  ハンドル部
３  足踏部
４  土起こし刃
５  差込力支持板部
６  後方支持部
７  起動力支持板部
８  第一取付板部
９  第二取付板部
ａ  地面
【図１】
2014036600.tif 000003
【図２】
2014036600.tif 000004
【図３】
2014036600.tif 000005
【図４】
2014036600.tif 000006
【図５】
2014036600.tif 000007